(57)【特許請求の範囲】
【請求項１】
屈曲可能な板状の基体と、この基体の厚み方向に形成された複数の貫通孔と、上記基体の一方の面から延びる先細り状の多数のブラシ片と、を備え、
上記多数のブラシ片は、上記各貫通孔ごとにその周囲に配された複数のブラシ片からなるブラシ片群によって構成され、
上記ブラシ片は、先端に頂点を有する概略三角錐形状とされており、
上記ブラシ片の横断面は、底辺が当該ブラシ片が属するブラシ片群の外側に向き、かつ頂角が当該ブラシ片が属するブラシ片群の内側に向いた、略二等辺三角形とされており、
上記各ブラシ片群を構成する上記複数のブラシ片のうち、隣接する上記ブラシ片の基端部において、近接する底角どうしの間隔は、頂角どうしの間隔よりも小さくされており、
上記ブラシ片の横断面の中心は、基端から先端に向かうにつれて、当該ブラシ片が属するブラシ片群の外方寄りに偏倚することを特徴とする、清掃用ブラシ。
【請求項２】
上記基体の他方の面には、略一定高さの複数の突起が設けられている、請求項１に記載の清掃用ブラシ。
【請求項３】
上記基体と上記多数のブラシ片とは、樹脂またはゴムにより一体成形されている、請求項１または２に記載の清掃用ブラシ。
【発明の詳細な説明】
【技術分野】
【０００１】
本発明は、たとえば食器の汚れ落としや根菜類の泥落しなどのキッチン用の清掃用途やその他の清掃用途に適した清掃用ブラシに関する。
【背景技術】
【０００２】
清掃用途に使用される清掃用ブラシとして、たとえば人工芝を用いて構成されたものが提案されている（たとえば特許文献１を参照）。特許文献１に開示された芝タワシ（清掃用ブラシ）は、多数のブラシ片を備えた人工芝によってタワシを形成し、この人工芝からなるタワシを基底部に取り付けて構成されたものである。このような清掃用ブラシを用いれば、硬質ブラシによって構成された一般的なタワシに比べ、食器や台所シンク等を洗う場合にも傷が付きにくい。
【０００３】
しかしながら、上記従来の清掃用ブラシにおいては、多数のブラシ片自体に付着した汚れ（特にブラシ片の付け根付近の汚れ）が取れにくいという問題があった。かかる問題は、衛生面においても好ましくなく、たとえばキッチン用として使用する場合には、不衛生になるという不都合が生じ得た。
【先行技術文献】
【特許文献】
【０００４】
【特許文献１】実開昭６０−８３５５６号公報
【発明の概要】
【発明が解決しようとする課題】
【０００５】
本発明は、このような事情のもとで考え出されたものであって、ブラシ片に付着した汚れが取れやすく、キッチン用などの種々の用途に適した清掃用ブラシを提供することを課題としている。
【課題を解決するための手段】
【０００６】
上記の課題を解決するため、本発明では、次の技術的手段を講じている。
【０００７】
本発明によって提供される清掃用ブラシは、屈曲可能な板状の基体と、この基体の厚み方向に形成された複数の貫通孔と、上記基体の一方の面から延びる先細り状の多数のブラシ片と、を備え、上記多数のブラシ片は、上記各貫通孔ごとにその周囲に配された複数のブラシ片からなるブラシ片群によって構成される。
【０００８】
本発明に係る清掃用ブラシにおいては、多数のブラシ片は、先細り状となっている。このため、清掃時には、各ブラシ片は、基端側については適度な弾性復元力を有し、また、先端側については凹凸状表面を有する清掃対象物に対しても汚れを掻き取ることができる。
【０００９】
また、多数のブラシ片は、いずれも基体に形成された貫通孔の周囲に配されている。このため、たとえば清掃用ブラシの洗浄時には、各貫通孔によってブラシ片の付け根（基端）における水の通りがよく、ブラシ片の基端付近に付着した汚れが取れやすい。また、洗浄時には、基体を屈曲させながらブラシ片も曲げることにより、基体の表面やブラシ片に付着した汚れを効率よく取り除くことができる。
【００１０】
好ましい実施の形態においては、上記基体の他方の面には、略一定高さの複数の突起が設けられている。このような複数の突起を有する構成によれば、清掃用ブラシの使用時において、複数の突起は、基体を手で掴む際の滑り止めとして機能する。また、上記複数の突起を有する構成によれば、たとえば清掃用ブラシをシンク等に置いても、基体の他方の面がシンク等と密着することがないので、水切り性に優れており、濡れている所に置いたときに滑り止めとしての機能も発揮することができる。
【００１１】
好ましい実施の形態においては、上記各ブラシ片群を構成する上記複数のブラシ片は、環状に等間隔に配されている。
【００１３】
好ましい実施の形態においては、上記複数の貫通孔は、略同一サイズに形成されるとともに、上記基体の平面視において略均等に配列されている。
【００１４】
好ましい実施の形態においては、上記基体と上記多数のブラシ片とは、樹脂またはゴムにより一体成形されている。
【００１５】
本発明のその他の特徴および利点は、添付図面を参照して以下に行う詳細な説明によって、より明らかとなろう。
【図面の簡単な説明】
【００１６】
【図１】本発明に係る清掃用ブラシの一例を示す斜視図である。
【図２】図１に示した清掃用ブラシの平面図である。
【図３】図１に示した清掃用ブラシの正面図である。
【図４】図１に示した清掃用ブラシの底面図である。
【図５】図２の要部拡大図である。
【図６】図２のＶＩ−ＶＩ線に沿う要部拡大断面図である。
【図７】図３のＶＩＩ−ＶＩＩ線に沿う要部拡大断面図である。
【発明を実施するための形態】
【００１７】
以下、本発明の好ましい実施の形態について、図面を参照して具体的に説明する。
【００１８】
図１〜図４は、本発明に係る清掃用ブラシの一例を示している。本実施形態の清掃用ブラシＡは、板状の基体１と、この基体１の厚み方向に形成された複数の貫通孔２と、基体１の上面１ａから延びる多数のブラシ片３と、基体１の下面１ｂに設けられた複数の突起４と、を備える。
【００１９】
基体１は、略一定の厚みを有し、平面視において略正方形を呈している。基体１の外形寸法は、たとえば一辺が約１０ｃｍ程度とされ、基体１の厚みは、たとえば約１．２ｍｍとされる。
【００２０】
複数の貫通孔２は、略同一サイズに形成されるとともに、基体１の平面視において略均等に配置されている。本実施形態では、たとえば、貫通孔２の直径は約２．５ｍｍとされており、これら貫通孔２は、縦横に一定ピッチで配列されている。
【００２１】
多数のブラシ片３は、各貫通孔２の周囲に配された複数のブラシ片３からなるブラシ片群３Ａによって構成れている。本実施形態では、各ブラシ片群３Ａは、たとえば６つのブラシ片３によって構成されており、これら６つのブラシ片３は、環状に等間隔に配されている。
【００２２】
図３に表れているように、ブラシ片３は、基体１の上面１ａから略直角に延びており、それぞれ、先細り状とされている。より具体的には、各ブラシ片３は、先端に頂点３１を有する概略三角錐形状とされている。各ブラシ片３の基端から先端までの長さは、たとえば約１ｃｍとされる。図５から理解されるように、各ブラシ片３の基端部の横断面は、略二等辺三角形とされており、当該二等辺三角形の底辺３２については、当該ブラシ片３が属するブラシ片群３Ａの外側に向いており、当該二等辺三角形の頂角３３については、当該ブラシ片群３Ａの内側に向いている。
【００２３】
また、図５に表れているように、各ブラシ片群３Ａを構成する複数のブラシ片３のうち、隣接するブラシ片３の基端部については、近接する底角３４，３４どうしの間隔Ｌ２は、頂角３３，３３どうしの間隔Ｌ１よりも小さくされている。
【００２４】
図７においては、ブラシ片群３Ａを構成する６つのブラシ片３の所定高さにおける横断面が表れており、当該横断面は、底辺３２’と頂角３３’を有する略二等三角形となっている。図５および図７から理解されるように、ブラシ片３の横断面をとると、底辺３２（３２’）についてはどの横断面をとっても同じ位置にある。したがって、底辺３２（３２’）部分が連続して形成されるブラシ片３の側面は、基体１から垂直上向きに延びている。その一方、頂角３３（３３’）については、基端から先端に向かうにつれて、底辺３２（３２’）に近づいていく。このようなことから理解されるように、ブラシ片３の横断面の中心は、基端から先端に向かうにつれて、当該ブラシ片３が属するブラシ片群３Ａの外方寄りに偏倚している。
【００２５】
図３に表れているように、複数の突起４は、いずれも略一定の高さを有する。図４に表れているように、本実施形態では、突起４は、底面視において略円形とされている。これら複数の突起４と複数の貫通孔２とは、千鳥状に配列されている。
【００２６】
なお、図２において図中右上に表れているように、基体１には、孔５が設けられている。この孔５は、たとえば、商品表示のタグや商品陳列用の吊り紐を取り付けたり、あるいは不使用時にフック等に吊るして清掃用ブラシＡを保管するためのものである。孔５は、１つの貫通孔２およびこの貫通孔２に対応するブラシ片群３Ａが形成されるべき位置に、当該貫通孔２およびブラシ片群３Ａに代えて形成されている。
【００２７】
上記構成の清掃用ブラシＡは、樹脂もしくはゴムにより一体成形されており、たとえばＥＭＭＡ樹脂（エチレン−メタクリル酸メチル共重合体）からなる。ＥＭＭＡ樹脂は、適度な柔軟性およびゴムに似た弾性を有する。これにより、基体１は比較的容易に屈曲可能であり、ブラシ片３は弾性復元力を有する。
【００２８】
次に、上記構成の清掃用ブラシＡの作用について説明する。
【００２９】
本実施形態の清掃用ブラシＡは、たとえば食器の汚れ落としや根菜類の泥落としなどのキッチン用の清掃用途に使用される。基体１は屈曲可能であるため、使用時には、当該基体１を清掃対象物の形状に合わせて屈曲させることができる。したがって、たとえばザルや根菜類などの曲面部を有する物を清掃するときには、基体１を当該曲面部に沿うように曲げることができ、使い勝手が良い。
【００３０】
多数のブラシ片３は、先細り状となっている。このため、清掃時には、各ブラシ片３は、基端側については適度な弾性復元力を有し、また、先端側については細かい凹凸状表面を有する清掃対象物（たとえばザルや根菜類）に対しても汚れを掻き取ることができる。
【００３１】
ブラシ片３は、頂点３１を有する略三角錐形状とされ、均等配列された貫通孔２の周囲に環状等間隔に配置されている。このため、清掃用ブラシＡをいずれの方向に擦ってもブラシ片３の弾性復元力が適切に発揮され、清掃対象物の汚れをより確実に落とすことができる。
【００３２】
また、多数のブラシ片３は、いずれも基体１に形成された貫通孔２の周囲に配されている。このため、たとえば清掃用ブラシＡの洗浄時には、各貫通孔２によってブラシ片３の付け根（基端）における水の通りがよく、ブラシ片３の基端付近に付着した汚れが取れやすい。また、洗浄時には、基体１を屈曲させながらブラシ片３も曲げることにより、基体１の表面やブラシ片３に付着した汚れを効率よく取り除くことができる。
【００３３】
図５および図７を参照して説明したように、各ブラシ片３の横断面は、略二等辺三角形とされ、当該二等辺三角形の底辺３２（３２’）については、当該ブラシ片３が属するブラシ片群３Ａの外側に向き、当該二等辺三角形の頂角３３（３３’）については、当該ブラシ片群３Ａの内側に向いている。また、各ブラシ片群３Ａを構成する複数のブラシ片３のうち、隣接するブラシ片３の基端部については、近接する底角３４，３４どうしの間隔は、頂角３３，３３どうしの間隔よりも小さくされている。さらに、ブラシ片３の横断面の中心は、基端から先端に向かうにつれて、当該ブラシ片３が属するブラシ片群３Ａの外方寄りに偏倚している。これにより、清掃用ブラシＡの上方から水を流すと、ブラシ片群３Ａの内側に入った水は、ブラシ片３先端の頂点３１とブラシ片３基端の底角３４と頂角３３とがなす面によってガイドされ、図７において矢印で示すように、ブラシ片群３Ａの中心Ｃ１に集まって貫通孔２を通じて排出される。このようなことから理解されるように、洗浄時には、ブラシ片３に付着した汚れをより効率よく取り除くことができる。
【００３４】
基体１の下面１ｂには、略一定高さの複数の突起４が設けられている。このような構成によれば、清掃用ブラシＡの使用時において、突起４は、基体１を手で掴む際の滑り止めとして機能する。また、上記複数の突起４を有する構成によれば、たとえば清掃用ブラシＡをシンク等に置いても、基体１の下面１ｂがシンク等と密着することがないので、水切り性に優れており、濡れている所に置いたときに滑り止めとしての機能も発揮することができる。
【００３５】
以上、本発明の具体的な実施形態を説明したが、本発明はこれに限定されるものではなく、発明の思想から逸脱しない範囲内で種々な変更が可能である。本発明に係る清掃用ブラシの各部の具体的な形状や材質なども、上記実施形態に限定されるものではない。
【００３７】
上記実施形態においては、各ブラシ片群３Ａは６つのブラシ片３によって構成されていたが、ブラシ片群３Ａを構成するブラシ片３の数量は６つに限定されない。また、貫通孔２の配列やブラシ片３の配置についても、上記実施形態に限定されるものではない。
【００３８】
上記実施形態において、基体１は略正方形とされていたが、基体１の形状としては、たとえば長矩形、円形、あるいは楕円形などの種々の形状を採用することができる。
【００３９】
上記実施形態においては、清掃用ブラシＡをキッチン用の清掃用途として使用する場合について説明したが、もちろん当該用途に限定されるものではない。本発明に係る清掃用ブラシは、キッチン用以外の他の清掃用途に使用することが可能である。
【符号の説明】
【００４０】
Ａ        清掃用ブラシ
１        基体
１ａ      上面（一方の面）
１ｂ      下面（他方の面）
２        貫通孔
３        ブラシ片
３Ａ      ブラシ片群
３１      頂点
３２，３２’      底辺
３３，３３’      頂角
３４      底角
４        突起
【図１】
0005662730.tif 000002
【図２】
0005662730.tif 000003
【図３】
0005662730.tif 000004
【図４】
0005662730.tif 000005
【図５】
0005662730.tif 000006
【図６】
0005662730.tif 000007
【図７】
0005662730.tif 000008